【手続補正書】
【提出日】平成18年9月5日(2006.9.5)
【手続補正１】
【補正対象書類名】特許請求の範囲
【補正対象項目名】全文
【補正方法】変更
【補正の内容】
【特許請求の範囲】
【請求項１】
前部が内側板体と外側板体とで成る２重板体で構成され、発熱電気部品を収納する函体と、
前記函体の後部に設けられ、該函体内の空気を外部に排出する排気部と、
前記函体の前部に設けられた吸気ファンと、
前記函体の前記外側板体に設けられ、外部に開口した吸気用外側開口部と、
前記函体の前記内側板体に設けられ、該函体の内部に開口した吸気用内側開口部とを有し、
前記吸気ファンは、前記吸気用内側開口部に対向して前記吸気用外側開口部より後方に設けられ、且つ正面視で前記吸気用外側開口部と重ならない位置に配置され、
前記吸気ファンと前記排気部とによって、前記発熱電気部品が空冷されるように構成されたことを特徴とする電気機器の空調構造。
【請求項２】
前記内側板体と前記外側板体との間に、前記吸気用外側開口部から吸入された空気を前記吸気ファンへと導く空気ガイド部が形成されたことを特徴とする請求項１記載の電気機器の空調構造。
【請求項３】
前記空気ガイド部内に設けられた防塵用部材をさらに有することを特徴とする請求項１または２記載の電気機器の空調構造。
【請求項４】
前記排気部には、排気ファンが含まれることを特徴とする請求項１〜３のいずれか１項に記載の電気機器の空調構造。
【請求項５】
前部が内側板体と外側板体とで成る２重板体で構成され、発熱電気部品を収納する函体と、
前記発熱電気部品と該発熱電気部品を囲うカバー体とで構成され、前記函体内に収容された発熱部と、
前記函体の後部に設けられ、該函体内の空気を外部に排出する排気部と、
前記函体の前部に設けられた吸気ファンと、
前記函体の前記外側板体に設けられ、外部に開口した吸気用外側開口部と、
前記函体の前記内側板体に設けられ、該函体の内部に開口した吸気用内側開口部とを有し、
前記吸気ファンは、前記吸気用内側開口部に対向して前記吸気用外側開口部より後方に設けられ、且つ正面視で前記吸気用外側開口部と重ならない位置に配置され、
前記発熱部が前記吸気ファンの直後に配置されることで、前記吸気ファンと前記排気部とによって、前記発熱部品が空冷されるように構成されたことを特徴とする電気機器の空調構造。
【請求項６】
前記カバー体には、開放穴が設けられ、外気が、前記吸気ファンから吸入されて前記カバー体に導入され、前記発熱部を冷却しつつ前記開放穴から排出されるように構成されたことを特徴とする請求項５記載の電気機器の空調構造。
【請求項７】
前記カバー体に設けられ、前記吸気ファンに近接して該吸気ファン側に開口したフードをさらに有することを特徴とする請求項５または６記載の電気機器の空調構造。
【請求項８】
発熱電気部品を収納する函体と、
前記函体の後部に設けられ、該函体内の空気を外部に排出する排気部と、
前記函体の前部に設けられた吸気ファンと、
前記函体の前部に設けられ、外部に開口した吸気用外側開口部と、
前記函体の前部に設けられ、該函体の内部に開口した吸気用内側開口部とを有し、
前記吸気ファンは、前記吸気用内側開口部に対向して前記吸気用外側開口部より後方に設けられ、且つ正面視で前記吸気用外側開口部と重ならない位置に配置され、
前記函体の前部は、内側板体、外側板体、及び、これら内側板体と外側板体とを接続するように奥行き方向に延びた複数の周壁を有して函型に構成され、
前記吸気ファンと前記排気部とによって、前記発熱電気部品が空冷されるように構成されたことを特徴とする電気機器の空調構造。
【手続補正２】
【補正対象書類名】明細書
【補正対象項目名】０００５
【補正方法】変更
【補正の内容】
【０００５】
本発明の第１の目的は、吸気ファンの駆動音の外部への放音を抑制しつつ函体内の発熱電気部品を空冷することができ、且つ、函体の前部の２重構造により静音効果を図り、ひいては該前部の剛性を高めることができる電気機器の空調構造を提供することにある。
本発明の第２の目的は、吸気ファンの駆動音の外部への放音を抑制しつつ函体内の発熱部を空冷することができ、且つ、上記函体の前部の２重構造により静音効果を図り、ひいては該前部の剛性を高めることができる電気機器の空調構造を提供することにある。
本発明の第３の目的は、吸気ファンの駆動音の外部への放音を抑制しつつ函体内の発熱電気部品を空冷することができ、且つ、上記函体の前部の函型構造により静音効果を図り、ひいては該前部の剛性を高めることができる電気機器の空調構造を提供することにある。
【手続補正３】
【補正対象書類名】明細書
【補正対象項目名】０００６
【補正方法】変更
【補正の内容】
【０００６】
上記第１の目的を達成するために本発明の請求項１の電気機器の空調構造は、前部が内側板体（５０）と外側板体（４１）とで成る２重板体で構成され、発熱電気部品（６５）を収納する函体（ＢＸ）と、前記函体の後部に設けられ、該函体内の空気を外部に排出する排気部（３３、３４、３０ｂ、３０ｃ）と、前記函体の前部に設けられた吸気ファン（４５）と、前記函体の前記外側板体に設けられ、外部に開口した吸気用外側開口部（４１ａ、４１ｂ）と、前記函体の前記内側板体に設けられ、該函体の内部に開口した吸気用内側開口部（５２ａ）とを有し、前記吸気ファンは、前記吸気用内側開口部に対向して前記吸気用外側開口部より後方に設けられ、且つ正面視で前記吸気用外側開口部と重ならない位置に配置され、前記吸気ファンと前記排気部とによって、前記発熱電気部品が空冷されるように構成されたことを特徴とする。
上記第２の目的を達成するために本発明の請求項５の電気機器の空調構造は、前部が内側板体（５０）と外側板体（４１）とで成る２重板体で構成され、発熱電気部品（６５）を収納する函体（ＢＸ）と、前記発熱電気部品（６５）と該発熱電気部品を囲うカバー体（６２）とで構成され、前記函体内に収容された発熱部（６０）と、前記函体の後部に設けられ、該函体内の空気を外部に排出する排気部（３３、３４、３０ｂ、３０ｃ）と、前記函体の前部に設けられた吸気ファン（４５）と、前記函体の前記外側板体に設けられ、外部に開口した吸気用外側開口部（４１ａ、４１ｂ）と、前記函体の前記内側板体に設けられ、該函体の内部に開口した吸気用内側開口部（５２ａ）とを有し、前記吸気ファンは、前記吸気用内側開口部に対向して前記吸気用外側開口部より後方に設けられ、且つ正面視で前記吸気用外側開口部と重ならない位置に配置され、前記発熱部が前記吸気ファンの直後に配置されることで、前記吸気ファンと前記排気部とによって、前記発熱部品が空冷されるように構成されたことを特徴とする。
上記第３の目的を達成するために本発明の請求項８の電気機器の空調構造は、発熱電気部品（６５）を収納する函体（ＢＸ）と、前記函体の後部に設けられ、該函体内の空気を外部に排出する排気部（３３、３４、３０ｂ、３０ｃ）と、前記函体の前部に設けられた吸気ファンと、前記函体の前部に設けられ、外部に開口した吸気用外側開口部（４１ａ、４１ｂ）と、前記函体の前部に設けられ、該函体の内部に開口した吸気用内側開口部（５２ａ）とを有し、前記吸気ファンは、前記吸気用内側開口部に対向して前記吸気用外側開口部より後方に設けられ、且つ正面視で前記吸気用外側開口部と重ならない位置に配置され、前記函体の前部は、内側板体（５０）、外側板体（４１）、及び、これら内側板体と外側板体とを接続するように奥行き方向に延びた複数の周壁（５１、５３、５４、５７）を有して函型に構成され、前記吸気ファンと前記排気部とによって、前記発熱電気部品が空冷されるように構成されたことを特徴とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１３
【補正方法】変更
【補正の内容】
【００１３】
本発明の請求項１に係る電気機器の空調構造によれば、吸気ファンの駆動音の外部への放音を抑制しつつ函体内の発熱電気部品を空冷することができ、且つ、函体の前部の２重構造により静音効果を図り、ひいては該前部の剛性を高めることができる。
本発明の請求項５に係る電気機器の空調構造によれば、吸気ファンの駆動音の外部への放音を抑制しつつ函体内の発熱部を空冷することができ、且つ、上記函体の前部の２重構造により静音効果を図り、ひいては該前部の剛性を高めることができる。
本発明の請求項８に係る電気機器の空調構造によれば、吸気ファンの駆動音の外部への放音を抑制しつつ函体内の発熱電気部品を空冷することができ、且つ、上記函体の前部の函型構造により静音効果を図り、ひいては該前部の剛性を高めることができる。
【手続補正１０】
【補正対象書類名】明細書
【補正対象項目名】００１４
【補正方法】削除
【補正の内容】